(57)【要約】【課題】特別なティシュペーパー箱ケースや固定用補助具等を使用することなく、ベットの手すりやパイプにティシュペーパーを引き出せる状態に簡単に固定できるティシュペーパーの箱を提供する。【解決手段】ティシュペーパー箱の上面に形成される取出し開口部形成用切り離し片と、上記取出し開口部形成用切り離し片をその長手方向に串通するための複数の切り目または該切り目形成用のミシン目もしくはハーフカットを有するティシュペーパー箱の底面または側面との組合わせからなるティシュペーパー箱を手すりその他の支柱に固定する構造を備えていることを特徴とするティシュペーパー箱。【選択図】　図４
2004141407.tif 000002
【特許請求の範囲】
【請求項１】
ティシュペーパー箱の上面に形成される取出し開口部形成用切り離し片と、上記取出し開口部形成用切り離し片をその長手方向に串通するための複数の切り目または該切り目形成用のミシン目もしくはハーフカットを有するティシュペーパー箱の底面または側面との組合わせからなるティシュペーパー箱を手すりその他の支柱に固定する構造を備えていることを特徴とするティシュペーパー箱。
【請求項２】
取出し開口部形成用切り離し片が、その長手方向に沿って手すりその他の支柱を抱持するためのリング形成機能を備えている請求項１記載のティシュペーパー箱。
【請求項３】
リング形成機能が、取出し開口部形成用切り離し片の長手方向両端部に互に係合することができる切込みまたは該切込み形成用のミシン目もしくはハーフカットである請求項２記載のティシュペーパー箱。
【請求項４】
リング形成機能が、取出し開口部形成用切り離し片の長手方向一端部に設けた凸部または該凸部形成用のミシン目もしくはハーフカットと該長手方向他端部に設けた凸部係合用の切り目または該切り目形成用ミシン目もしくはハーフカットとの組合わせである請求項２記載のティシュペーパー箱。
【請求項５】
リング形成機能を、取出し開口部形成用切り離し片の長手方向に沿って２段以上の多段に設け、取出し開口部形成用切り離し片が該抱持径を多段調節できるようにした請求項２から４までのいずれか１項記載のティシュペーパー箱。
【請求項６】
ティシュペーパー箱の取出し開口部形成用切り離し片と、ティシュペーパー箱の底面または側面に形成される複数の切り目との組合わせよりなり、該取出し開口部形成用切り離し片の長手方向を上記の複数の切り目に押通してティシュペーパー箱の底面または側面に取出し開口部形成用切り離し片を串通し、このティシュ箱に串通した取出し開口部形成用切り離し片により手すりその他の支柱を抱持させることを特徴とするティシュペーパー箱をその取出し開口部よりティシュペーパーを引出せる状態で手すりその他の支柱に固定するための構造。
【請求項７】
請求項６記載の構造において、長手方向両端部に手すりその他の支柱を抱持するためのリング形成機能を備えているティシュペーパー箱の取出し開口部形成用切り離し片。
【請求項８】
請求項６記載の構造において、取出し開口部形成用切り離し片を串通するための複数の切り目または切り目形成用のミシン目もしくはハーフカットを備えているティシュペーパー箱の底面又は側面。
【請求項９】
ティシュペーパー箱の上面に形成されている取出し開口部形成用切り離し片を該ティシュペーパー箱より分離し、かつティシュペーパー箱の底面又は側面に形成されている複数の切り目形成用のミシン目もしくはハーフカットを切開して複数の切り目を形成し、上記のティシュペーパー箱より分離した取出し開口部形成用切り離し片の長手方向を上記の複数の切り目に挿通して該取出し開口部形成用切り離し片をティシュペーパー箱の底面又は側面に串通し然る後、この串通した取出し開口部形成用切り離し片により手すりその他の支柱を抱持せしめることを特徴とするティシュペーパー箱をその取出し開口部よりティシュペーパーを取出せる状態で手すりその他の支柱に固定する方法。
【発明の詳細な説明】
【０００１】
【発明の属する技術分野】
本発明はベッド等の手すりやパイプ等にティシュペーパーを引き出せる状態に取付けることができるティシュペーパー箱の改良に関する。
【０００２】
【従来の技術】
現在、ティシュペーパーは化粧落しから食事時の口拭き、テーブル等の汚れ拭き等、生活の様々な場で使用されている。又、このような広範囲の用途に使用できる為、入院患者や自宅療養の病人にとっても大変便利なものであり、広く使われている。
しかしベットで寝ている病人にとって、問題になるのはティシュペーパー箱の置き場所である。枕の横とか、ベット脇のテーブル等に置いているが、床に落ちたり、距離が遠い為、起き上がらないと取れなかったりと使い勝手が悪かった。
又、ベットの手すり等にティシュペーパー箱を取り付ける為の箱ケース等（特許文献１参照）もあるが、これらは、退院すれば必要性がなくなり不経済であった。
【０００３】
【特許文献１】
特開２０００−１０９０９２公報
【０００４】
【発明が解決しようとする課題】
特別なティシュペーパー箱ケースや固定用補助具等を使用することなく、ベットの手すりやパイプにティシュペーパーを引き出せる状態に簡単に固定できるティシュペーパーの箱を提供する。
【０００５】
【課題を解決するための手段】
本発明はティシュペーパー箱の上面に形成される取出し開口部形成用切り離し片と、上記取出し開口部形成用切り離し片をその長手方向に串通するための複数の切り目または該切り目形成用のミシン目もしくはハーフカットを有するティシュペーパー箱の底面または側面との組合わせからなるティシュペーパー箱を手すりその他の支柱に固定する構造を備えていることを特徴とするティシュペーパー箱に係わる。
【０００６】
更に本発明は取出し開口部形成用切り離し片が、その長手方向に沿って手すりその他の支柱を抱持するためのリング形成機能を備えているティシュペーパー箱およびリング形成機能が、取出し開口部形成用切り離し片の長手方向両端部に互に係合することができる切込みまたは該切込み形成用のミシン目もしくはハーフカットであるティシュペーパー箱に係わる。
【０００７】
更に本発明はリング形成機能が、取出し開口部形成用切り離し片の長手方向一端部に設けた凸部または該凸部形成用のミシン目もしくはハーフカットと該長手方向他端部に設けた凸部係合用の切り目または該切り目形成用ミシン目もしくはハーフカットとの組合わせであるティシュペーパー箱およびリング形成機能を、取出し開口部形成用切り離し片の長手方向に沿って２段以上の多段に設け、取出し開口部形成用切り離し片が該抱持径を多段調節できるようにしたティシュペーパー箱に係わる。
【０００８】
更に又本発明はティシュペーパー箱の取出し開口部形成用切り離し片と、ティシュペーパー箱の底面または側面に形成される複数の切り目との組合わせよりなり、該取出し開口部形成用切り離し片の長手方向を上記の複数の切り目に押通してティシュペーパー箱の底面または側面に取出し開口部形成用切り離し片を串通し、このティシュ箱に串通した取出し開口部形成用切り離し片により手すりその他の支柱を抱持させることを特徴とするティシュペーパー箱をその取出し開口部よりティシュペーパーを引出せる状態で手すりその他の支柱に固定するための構造に係わる。
【０００９】
更に又本発明は長手方向両端部に手すりその他の支柱を抱持するためのリング形成機能を備えているティシュペーパー箱の取出し開口部形成用切り離し片に係わる。
【００１０】
更に又本発明は取出し開口部形成用切り離し片を串通するための複数の切り目または切り目形成用のミシン目もしくはハーフカットを備えているティシュペーパー箱の底面又は側面に係わる。
【００１１】
更に又本発明はティシュペーパー箱の上面に形成されている取出し開口部形成用切り離し片を該ティシュペーパー箱より分離し、かつティシュペーパー箱の底面又は側面に形成されている複数の切り目形成用のミシン目もしくはハーフカットを切開して複数の切り目を形成し、上記のティシュペーパー箱より分離した取出し開口部形成用切り離し片の長手方向を上記の複数の切り目に挿通して該取出し開口部形成用切り離し片をティシュペーパー箱の底面又は側面に串通し然る後、この串通した取出し開口部形成用切り離し片により手すりその他の支柱を抱持せしめることを特徴とするティシュペーパー箱をその取出し開口部よりティシュペーパーを取出せる状態で手すりその他の支柱に固定する方法に係わる。
【００１２】
また本発明は以下の（１）〜（６）の要件のいずれか１つまたは２つ以上を組合せて有することを特徴としている。
（１）ティシュペーパー箱の取出し開口部形成用切り離し片の、どちらか片方の長手方向端部近傍に１つ又は複数の凸部が形成されている。
（２）前記取出し開口部形成用切り離し片の凸部形成側とは反対側の端部近傍には、切り離し片幅方向に平行な１つ又は複数のミシン目又はハーフカットが施されている。
（３）尚、前記ミシン目の幅は、切り離し片の幅寸法の３分の２以内とする。
（４）又、箱本体の底面又は側面には、箱の長手方向あるいは幅方向と平行で長さが前記切り離し片と同等、又は大きい複数のミシン目又はハーフカットが施されている。
（５）前記長手方向両端部に凸部とミシン目を施された切り離し片は、前記箱底面の複数のミシン目間を通して、箱と一体化され、その後ベット等にティシュペーパー箱を固定する手すりや支柱を挟んで、前記切り離し片の凸部は反対側端部近傍のミシン目に差し込まれ、両端部が契合され略円柱を形成し、ティシュペーパー箱は固定される。
（６）前記切り離し片の凸部が複数ある場合は、より契合力は増すし、更に凸部に引き抜け防止用かえりを付けておけば更に契合力は増し、強固に固定される。
【００１３】
【発明の効果】
ベット等の手すりや支柱に簡単にティシュペーパー箱を固定できる。
ティシュペーパーの使用開始とともに廃棄してしまう、取出し口切り離し片を使用しているので別に箱を固定する為の箱カバー等を購入する必要がなく、経済的である。
【００１４】
【実施例】
以下に本発明の実施例を図面を用いて説明するが、本発明はこれによって特に限定されるものではない。
【００１５】
［実施例１］
図１はティシュペーパー箱の上方から見た斜視図でティシュペーパー箱本体（カートン）（１）内には折りたたみティシュペーパーがＶ型にかみ合わせて上下に多数枚積層収容されている。
（２）はティシュペーパー取出し口で、（３）はその取出し口よりミシン目に沿って切除分離された取出し開口部形成用切り離し片である。
（１４）はティシュペーパー箱本体（１）の上面の内側にティシュペーパー取出し口（２）を覆うように取付けられた透明フィルム（ポリフィルムウィンドウ）で、（１５）はフィルム（１４）の取出し口（２）に対応する位置に長手方向に設けたティシュペーパー取出し用スリットで、このスリット（１５）を通してティシュペーパーはポップアップ式に連続して引き出される。
【００１６】
図２は本発明の１実施例に係わる取出し開口部形成用切り離し片の詳細図である。
切り離し片（３）のいずれか片方の長手方向端部の左右に凸部形成用ミシン目（又はハーフカット）（５）（５）を入れ、切り離し片端部の凸部（４）を形成する。
また必要ならば凸部（４）の長手方向近傍にもう１つの凸部（６）を同じくミシン目（又はハーフカット）によって形成する。（７）は凸部（６）を形成するためのミシン目である。
前記取出し開口部形成用切り離し片の凸部（４）または凸部（４）（６）とは反対側の端部近傍には切り離し片（３）の幅方向に平行な１つ又は複数のミシン目（又はハーフカット）（８）が施されている。
尚このミシン目（８）の幅は切り離し片（３）の幅寸法の３分の２以内とするのがよい。
【００１７】
図３はティシュペーパー箱本体（１）の底面を示し、このティシュペーパー箱の底面（９）には箱の長手方向あるいは幅方向と平行でかつ長さが前記切り離し片（３）と同等又は大き目の複数のミシン目（又はハーフカット）（１０）が施されている。
【００１８】
前記の長手方向両端部に凸部（４）または（４）および（６）とミシン目（８）を施された切り離し片（３）は図４に示すように箱底面（９）の複数のミシン目（１０）間に串通しされて箱（１）と一体化され、然る後、ベット等にティシュペーパー箱（１）を固定するための手すりや支柱（１１）を挟んで、前記切り離し片（３）の凸部（４）又は（４）および（６）は反対側端部近傍のミシン目（８）に差し込まれ両端部が係合されて略円柱を形成し、ティシュペーパー箱（１）は手すりや支柱（１１）に固定される。
【００１９】
前記切り離し片（３）の凸部が（４）および（６）更にはそれ以上の複数ある場合には、より係合力は増し強固に固定される。
【００２０】
図５Ａ，Ｂは切り離し片（３）の凸部（４）（凸部（６）または凸部（４）（６）の双方であってもよい）に引き抜け防止用かえり（１２）を設けた側を示したもので、（１３）はその折り曲げ用線を示す。
折り曲げ用線（１３）に沿ってかえり（１２）を凸部（４）の面に重ね状に折り込んでからミシン目（８）に差し込んだ後ミシン目（８）を通過したかえり（１２）を起立させればこのかえり（１２）がミシン目（８）からの抜けを阻止する。
【図面の簡単な説明】
【図１】ティシュペーパー箱及び切り離し片斜視図である。
【図２】本願の１実施例である取出し開口部形成用切り離し片詳細図である。
【図３】本願の１実施例であるティシュペーパー箱の底面詳細図である。
【図４】本発明のティシュペーパー箱をベットの支柱に取り付けた斜視図である。
【図５】切り離し片の凸部の引き抜け防止用かえりの詳細図である。
【符号の説明】
１…ティシュペーパー箱本体
２…ティシュペーパー箱取出し口
３…取出し開口部形成用切り離し片
４…切り離し片端部の凸部
５…凸部形成用ミシン目
６…切り離し片端部近傍のもう１つの凸部
７…６の凸部形成用ミシン目
８…ミシン目
９…ティシュペーパー箱の底面
１０…切り離し片を差し込む為のミシン目
１１…ベットの支柱
１２…切り離し片凸部の引き抜け防止用かえり
１３…折り曲げ用線
１４…透明フィルム（ポリウィンドウ）
１５…スリット
【図１】
2004141407.tif 000003
【図２】
2004141407.tif 000004
【図３】
2004141407.tif 000005
【図４】
2004141407.tif 000006
【図５】
2004141407.tif 000007